(57)【要約】【課題】高精細映像のマルチリンク伝送の際に、その信号接続を視覚的に確認できる基準カラー信号パターンを提供する。【解決手段】第１の色の領域と第２の色の領域が境界で接する図形を含むパターンを備えた基準カラー信号パターンにおいて、前記境界を、水平方向１ピクセルで垂直方向１ピクセル、水平方向２ピクセルで垂直方向１ピクセル、水平方向３ピクセルで垂直方向１ピクセル、水平方向２ピクセルで垂直方向１ピクセル、を繰り返す階段状とする。このパターンは、奇数列奇数行の画素群と、偶数列奇数行の画素群と、奇数列偶数行の画素群と、偶数列偶数行の画素群のうち、任意の２つの画素群が入れ替わった場合に、前記境界の形状又は色が変化することを特徴とする。【選択図】図１
2015231088.tif 000002
【特許請求の範囲】
【請求項１】
少なくとも、第１の色の領域と第２の色の領域が境界で接する図形を含む第１の領域パターンを備えた基準カラー信号パターンであって、
前記第１の領域パターンは、奇数列奇数行の画素群と、偶数列奇数行の画素群と、奇数列偶数行の画素群と、偶数列偶数行の画素群のうち、任意の２つの画素群が入れ替わった場合に、前記境界の形状又は色が変化することを特徴とする、基準カラー信号パターン。
【請求項２】
請求項１に記載の基準カラー信号パターンにおいて、前記第１の領域パターンは、隣接する奇数列奇数行の画素と偶数列奇数行の画素と奇数列偶数行の画素が第１の色であり、偶数列偶数行の画素が第２の色である第１のエリアと、隣接する奇数列奇数行の画素が第１の色であり、偶数列奇数行の画素と奇数列偶数行の画素と偶数列偶数行の画素が第２の色である第２のエリアと、隣接する奇数列奇数行の画素と偶数列奇数行の画素が第１の色であり、奇数列偶数行の画素と偶数列偶数行の画素が第２の色である第３のエリアとを、前記図形に含んでいることを特徴とする、基準カラー信号パターン。
【請求項３】
請求項１又は２に記載の基準カラー信号パターンにおいて、前記第１の領域パターンは、前記境界が、水平方向１ピクセルで垂直方向１ピクセル、水平方向２ピクセルで垂直方向１ピクセル、水平方向３ピクセルで垂直方向１ピクセル、水平方向２ピクセルで垂直方向１ピクセル、を繰り返す階段状であることを特徴とする、基準カラー信号パターン。
【請求項４】
請求項１又は２に記載の基準カラー信号パターンにおいて、前記第１の領域パターンは、前記境界が、水平方向１ピクセルで垂直方向１ピクセル、水平方向２ピクセルで垂直方向１ピクセル、を繰り返す階段状であることを特徴とする、基準カラー信号パターン。
【請求項５】
請求項１に記載の基準カラー信号パターンにおいて、前記第１の領域パターンは、隣接する奇数列奇数行の画素と偶数列奇数行の画素が第１の色であり、奇数列偶数行の画素と偶数列偶数行の画素が第２の色である第３のエリアと、隣接する奇数列奇数行の画素と奇数列偶数行の画素が第１の色であり、偶数列奇数行の画素と偶数列偶数行の画素が第２の色である第４のエリアとを、前記図形に含んでいることを特徴とする、基準カラー信号パターン。
【請求項６】
請求項５に記載の基準カラー信号パターンにおいて、前記第１の領域パターンは、前記境界が、水平方向１ピクセルで垂直方向２ピクセル、水平方向３ピクセルで垂直方向１ピクセル、水平方向２ピクセルで垂直方向１ピクセル、を繰り返す階段状であることを特徴とする、基準カラー信号パターン。
【請求項７】
請求項１から６のいずれか一項に記載の基準カラー信号パターンにおいて、前記第１の領域パターンは、長方形であり、前記境界が前記長方形の対角線となることを特徴とする、基準カラー信号パターン。
【請求項８】
請求項１から７のいずれか一項に記載の基準カラー信号パターンにおいて、前記第１の領域パターンは、基準カラー信号パターンの４隅に配置され、４隅に配置された第１の領域パターンは、互いに境界の方向又は第１の色と第２の色の配置が異なることを特徴とする、基準カラー信号パターン。
【請求項９】
請求項１から８のいずれか一項に記載の基準カラー信号パターンにおいて、基準カラー信号パターンの中央部に、白、黄、シアン、緑、マゼンタ、赤、青の色サンプルを含む第２の領域パターンを有することを特徴とする、基準カラー信号パターン。
【請求項１０】
請求項９に記載の基準カラー信号パターンにおいて、前記色サンプルは、色ごとに信号レベルの異なる領域が隣接していることを特徴とする、基準カラー信号パターン。
【請求項１１】
請求項９又は１０に記載の基準カラー信号パターンにおいて、前記色サンプルは、色ごとに１００％の信号レベルの領域と７５％の信号レベルの領域が隣接していることを特徴とする、基準カラー信号パターン。
【請求項１２】
請求項９から１１のいずれか一項に記載の基準カラー信号パターンにおいて、前記第２の領域パターンは、その内部に、異なる色の領域が境界で接する図形を含み、奇数列奇数行の画素群と、偶数列奇数行の画素群と、奇数列偶数行の画素群と、偶数列偶数行の画素群のうち、任意の２つの画素群が入れ替わった場合に、前記境界の形状又は色が変化することを特徴とする、基準カラー信号パターン。
【請求項１３】
請求項１２に記載の基準カラー信号パターンにおいて、前記異なる色の一方は、白又は黒であり、前記異なる色の他方は、赤、青、緑のいずれかであることを特徴とする、基準カラー信号パターン。
【請求項１４】
請求項１から１３のいずれか一項に記載の基準カラー信号パターンにおいて、基準カラー信号パターンを発生している機器を表すＩＤコードを含むことを特徴とする、基準カラー信号パターン。
【請求項１５】
請求項１から１４のいずれか一項に記載の基準カラー信号パターンを発生する基準カラー信号発生装置。
【発明の詳細な説明】
【技術分野】
【０００１】
本発明は放送システムに利用される基準カラー信号パターン、及び基準カラー信号発生装置に関する。
【背景技術】
【０００２】
放送システムにおいては、複数の機器を相互に接続して、信号伝送及び信号処理がなされ、機器の間の信号の接続状態を確認するために基準カラー信号が用いられる。基準カラー信号は、映像システムを評価するための基準となる信号である。放送で使用される業務用機器は基準カラー信号を発生することができ、後段の機器との接続テストが通常行われている。
【０００３】
図９にハイビジョンの基準カラー信号の例を示す（非特許文献１）。図９の基準カラー信号パターン４００は、上側の２／３を占める領域に、左から白、黄、シアン、緑、マゼンタ、赤、青の７本の帯からなる７５％カラーバーが並び、その外側に無彩色信号が配置されたパターン４０１が設けられている。次のパターン４０２は、モニターのクロマ調整用信号とその外側のシアン及び青信号で構成され、その次のパターン４０３は、ランプ信号とその外側の黄、赤信号で構成される。また、一番下のパターン４０４は、モニターの黒レベル輝度設定用信号等で構成されている。
【０００４】
この基準カラー信号は、通常「カラーバー信号」と呼ばれ、機器と機器の信号の接続テストやモニターの輝度調整・色調整に使われている。
【０００５】
近年、スーパーハイビジョン等のハイビジョンを上回る解像度を持つ高精細映像システムの研究開発が進められている。高解像度を持つ動画像は単位時間当たりの情報量が多量であるため、一つのシリアル信号で伝送することが困難であり、動画像を複数のシリアル信号に分割して送ること（マルチリンク伝送）が行われている。
【０００６】
動画像を複数の信号に分割するマルチリンク伝送としては、サブピクセル分割（図１０）と領域分割（図１１）がある。以下に、各色（緑、青、赤）の信号を４つの信号に分割する方式のマルチリンク伝送の例を説明する。図１０、図１１の各サブピクセルの番号（１，２，３，４）はマルチリンク伝送時の各リンク番号であり、それぞれの信号をチャンネルと呼ぶ。
【０００７】
サブピクセル分割は、隣接する画素のサブピクセルのデータをそれぞれ別の信号線で伝送する方式である。図１０に示すように、画像を３つの単色（緑、青、赤）の画像５１，５２，５３に分解し、さらに、単色画面５１を構成するサブピクセルを、単色画面５１の奇数列の奇数行の画素（画像５１１）、単色画面５１の偶数列の奇数行の画素（画像５１２）、単色画面５１の奇数列の偶数行の画素（画像５１３）、及び単色画面５１の偶数列の偶数行の画素（画像５１４）の４つのグループ（画素群）に分割する。そして、それぞれのグループを別のチャンネルで伝送する。他の単色画像５２，５３についても、それぞれサブピクセルを同様に４つのグループ（画素群）に分けて伝送し、画像全体を１２系統のチャンネル（信号線）で伝送する。
【０００８】
領域分割は、画像を複数の領域に分割して、それぞれの領域のデータを別の信号線で伝送する方式である。図１１に示すように、画像を３つの単色（緑、青、赤）の画像６１，６２，６３に分解し、各単色画面を大きく田の字のように分け、左上の領域６１１、右上の領域６１２、左下の領域６１３、右下の領域６１４に分割する。そして、それぞれの領域のサブピクセルのデータを別のチャンネルで伝送する。他の単色画像６２，６３についても、それぞれサブピクセルを同様に４つの領域に分けて伝送し、画像全体を１２系統のチャンネル（信号線）で伝送する。
【０００９】
このようなマルチリンク伝送を行うスーパーハイビジョンにおいては、接続テストがより重要になっている。また、スーパーハイビジョンは従来のハイビジョン放送と比較して、色域の広い表色系（広色域表色系）を採用しており、広色域表色系を採用している画像システムにおいて、モニターの色域の確認を簡単にできることが望ましい。
【先行技術文献】
【非特許文献】
【００１０】
【非特許文献１】「マルチフォーマット・カラーバー  標準規格」（ＡＲＩＢ  ＳＴＤ−Ｂ２８）、社団法人電波産業会、平成１２年１２月１４日
【発明の概要】
【発明が解決しようとする課題】
【００１１】
マルチリンク方式で伝送された動画像を復元するためには、後段の機器に信号線を接続する際に、その信号の分割順を正しく接続しなければならない。しかしながら、現状のハイビジョンの基準カラー信号をそのままスーパーハイビジョン等の高精細映像に適用しても、サブピクセル分割時のマルチリンク伝送において、それぞれのチャンネルが正しい接続がなされているかどうか視覚的に確認することが困難である。
【００１２】
従って、上記のような問題点に鑑みてなされた本発明の目的は、マルチリンク伝送の際にその信号が正しく後段の機器につながっていることを視覚的に確認できる基準カラー信号パターンを提供することにある。
【００１３】
さらに、本発明の目的は、スーパーハイビジョンのように広色域表色系を採用している画像システムにおいて、モニターの輝度調整・色調整を視覚的に確認できる基準カラー信号パターンと、基準カラー信号発生装置を提供することにある。
【課題を解決するための手段】
【００１４】
上記課題を解決するために本発明に係る基準カラー信号パターンは、少なくとも、第１の色の領域と第２の色の領域が境界で接する図形を含む第１の領域パターンを備えた基準カラー信号パターンであって、前記第１の領域パターンは、奇数列奇数行の画素群と、偶数列奇数行の画素群と、奇数列偶数行の画素群と、偶数列偶数行の画素群のうち、任意の２つの画素群が入れ替わった場合に、前記境界の形状又は色が変化することを特徴とする。
【００１５】
また、前記基準カラー信号パターンは、前記第１の領域パターンは、隣接する奇数列奇数行の画素と偶数列奇数行の画素と奇数列偶数行の画素が第１の色であり、偶数列偶数行の画素が第２の色である第１のエリアと、隣接する奇数列奇数行の画素が第１の色であり、偶数列奇数行の画素と奇数列偶数行の画素と偶数列偶数行の画素が第２の色である第２のエリアと、隣接する奇数列奇数行の画素と偶数列奇数行の画素が第１の色であり、奇数列偶数行の画素と偶数列偶数行の画素が第２の色である第３のエリアとを、前記図形に含んでいることが望ましい。
【００１６】
また、前記基準カラー信号パターンは、前記第１の領域パターンは、前記境界が、水平方向１ピクセルで垂直方向１ピクセル、水平方向２ピクセルで垂直方向１ピクセル、水平方向３ピクセルで垂直方向１ピクセル、水平方向２ピクセルで垂直方向１ピクセル、を繰り返す階段状であることが望ましい。
【００１７】
また、前記基準カラー信号パターンは、前記第１の領域パターンは、前記境界が、水平方向１ピクセルで垂直方向１ピクセル、水平方向２ピクセルで垂直方向１ピクセル、を繰り返す階段状であることが望ましい。
【００１８】
また、前記基準カラー信号パターンは、前記第１の領域パターンは、隣接する奇数列奇数行の画素と偶数列奇数行の画素が第１の色であり、奇数列偶数行の画素と偶数列偶数行の画素が第２の色である第３のエリアと、隣接する奇数列奇数行の画素と奇数列偶数行の画素が第１の色であり、偶数列奇数行の画素と偶数列偶数行の画素が第２の色である第４のエリアとを、前記図形に含んでいることが望ましい。
【００１９】
また、前記基準カラー信号パターンは、前記第１の領域パターンは、前記境界が、水平方向１ピクセルで垂直方向２ピクセル、水平方向３ピクセルで垂直方向１ピクセル、水平方向２ピクセルで垂直方向１ピクセル、を繰り返す階段状であることが望ましい。
【００２０】
また、前記基準カラー信号パターンは、前記第１の領域パターンは、長方形であり、前記境界が前記長方形の対角線となることが望ましい。
【００２１】
また、前記基準カラー信号パターンは、前記第１の領域パターンは、基準カラー信号パターンの４隅に配置され、４隅に配置された第１の領域パターンは、互いに境界の方向又は第１の色と第２の色の配置が異なることが望ましい。
【００２２】
また、前記基準カラー信号パターンは、基準カラー信号パターンの中央部に、白、黄、シアン、緑、マゼンタ、赤、青の色サンプルを含む第２の領域パターンを有することが望ましい。
【００２３】
また、前記基準カラー信号パターンは、前記色サンプルは、色ごとに信号レベルの異なる領域が隣接していることが望ましい。
【００２４】
また、前記基準カラー信号パターンは、前記色サンプルは、色ごとに１００％の信号レベルの領域と７５％の信号レベルの領域が隣接していることが望ましい。
【００２５】
また、前記基準カラー信号パターンは、前記第２の領域パターンは、その内部に、異なる色の領域が境界で接する図形を含み、奇数列奇数行の画素群と、偶数列奇数行の画素群と、奇数列偶数行の画素群と、偶数列偶数行の画素群のうち、任意の２つの画素群が入れ替わった場合に、前記境界の形状又は色が変化することが望ましい。
【００２６】
また、前記基準カラー信号パターンは、前記異なる色の一方は、白又は黒であり、前記異なる色の他方は、赤、青、緑のいずれかであることが望ましい。
【００２７】
また、前記基準カラー信号パターンは、基準カラー信号パターンを発生している機器を表すＩＤコードを含むことが望ましい。
【００２８】
また、本発明に係る基準カラー信号発生装置は、上記の基準カラー信号パターンを発生することを特徴とする。
【発明の効果】
【００２９】
本発明の基準カラー信号パターンを用いることにより、マルチリンク伝送における後段の機器との接続状態を視覚的に確認できる。特に、サブピクセル分割と領域分割の両方の方式において、各チャンネルの信号が正しく後段の機器に接続されているかを確認できる。さらに、広色域表示色の映像について、モニターの輝度調整・色調整を視覚的に確認できる。
【図面の簡単な説明】
【００３０】
【図１】本発明の基準カラー信号パターンの例である。
【図２】本発明の基準カラー信号パターンの角領域パターンの例である。
【図３】角領域パターンとチャンネル接続の関係を説明する図である。
【図４】本発明の基準カラー信号パターンの別の角領域パターンの例である。
【図５】本発明の基準カラー信号パターンの中央部領域パターンの例である。
【図６】広色域表色系が表示できないモニターに接続した場合の中央部領域パターンの画像例である。
【図７】本発明の基準カラー信号パターンの中央部領域パターンの一部を拡大した図である。
【図８】本発明の基準カラー信号発生装置と放送機器の概念図である。
【図９】従来のハイビジョンの基準カラー信号パターンの例である。
【図１０】サブピクセル分割のマルチリンク伝送を説明する図である。
【図１１】領域分割のマルチリンク伝送を説明する図である。
【発明を実施するための形態】
【００３１】
以下、本発明の実施の形態について、図面を用いて説明する。
【００３２】
（実施の形態１）
図１に、本発明の実施の形態１である基準カラー信号のパターンの例を示す。ここでは、超高精細映像の例としてスーパーハイビジョン解像度の動画像（水平７６８０×垂直４３２０画素）を用いる。
【００３３】
図１の基準カラー信号のパターン１００は、角領域パターン１１０、中心部領域パターン２００、周辺領域１２０の大きく３つの部分から構成される。
【００３４】
角領域パターン１１０は、画面の４つの角に配置された２色パターン（代表的には白黒パターン）１１１，１１２，１１３，１１４である。これらは、長方形状とするのが望ましく、角ごとに違うパターンとする。例えば、左上角領域パターン１１１は領域を右上から左下方向の対角線で分けて左上を黒、右下を白のパターンとし、右上角領域パターン１１２は領域を左上から右下方向の対角線で分けて右上を黒、左下を白のパターンとし、左下角領域パターン１１３は領域を左上から右下方向の対角線で分けて右下を黒、左上を白のパターンとし、右下角領域パターン１１４は領域を右上から左下方向の対角線で分けて右下を黒、左上を白のパターンとする。
【００３５】
中心部領域パターン２００は、画面の中央部に配置されたパターンである。例えば、各色のカラーバーを含み、その下部領域には、対角線で領域を分割したパターンや、黒レベルを調整するための領域を設ける。
【００３６】
周辺領域１２０は、画面全体から、角領域パターン１１０と中心部領域パターン２００を除いた残りの領域である。当該基準カラー信号を発生している機器を示すＩＤコード１３０を表示することができる。
【００３７】
以下、それぞれの領域について説明する。
【００３８】
図２ないし図４に基づいて、角領域パターンの構造について説明する。図２（ａ）は、角領域パターン１１０のうち、特に、左上の角領域パターン１１１を表しており、図２（ｂ）は、その一部を拡大した図である。なお、角領域パターン１１２，１１３，１１４は、角領域パターン１１１の白黒を入れ替えたり、境界を左上から右下の方向にしたものであって、その構造は以下の説明と同様である。
【００３９】
図２（ａ）に示されるように、左上角領域パターン１１１は、例えば、水平１９２０、垂直９６０ピクセルで構成され、右上から左下方向の対角線で、第１の色である１００％白（ＲＧＢそれぞれ１００％）と第２の色である０％黒（ＲＧＢそれぞれ０％）に分割されたパターンである。第１の色と第２の色は、互いに異なる任意の色を選ぶことができるが、最も視認性の良い組み合わせとして、白と黒のパターンとすることが望ましい。なお、白と黒の配置を反対にすることもできる。
【００４０】
図２（ｂ）中の１，２，３，４は、サブピクセル分割方式のマルチリンク伝送を行ったときの各チャンネル番号を示す。すなわち、奇数列の奇数行の画素を１チャンネルで伝送し、偶数列の奇数行の画素を２チャンネルで伝送し、奇数列の偶数行の画素を３チャンネルで伝送し、偶数列の偶数行の画素を４チャンネルで伝送することを示している。なお、画面上の画素（ピクセル）は、３色のサブピクセルからなり、各色をそれぞれ４つのチャンネル（全体で１２系統）で伝送するから、図の数字は各色のチャンネル番号を代表したものである。他の図においても同様に、図中の数字は各チャンネル番号を示す。
【００４１】
ここで、図２（ａ）の角領域パターン１１１は、水平１９２０、垂直９６０ピクセルであるから、対角線の傾きは１／２となる。本発明においては、第１と第２の色（白黒）の境界（対角線）を、任意のチャンネル番号が入れ替わった場合に、境界の形状又は色が変化するパターンとしている。具体的には、図２（ｂ）のとおり、境界を左下から、水平方向１ピクセルで垂直方向１ピクセル、水平方向２ピクセルで垂直方向１ピクセル、水平方向３ピクセルで垂直方向１ピクセル、水平方向２ピクセルで垂直方向１ピクセル、の階段状にし、これを繰り返す。繰り返し単位の全体では、水平方向８ピクセルで垂直方向４ピクセルとなるから、傾きは１／２となっており、左下から右上に向う対角線で分離された２色（白黒）パターンが形成される。
【００４２】
図３に、図２の一部をさらに拡大した境界部分を示し、本発明の作用・効果について説明する。図３（ａ）は、本発明の基準カラー信号の角領域パターン１１１の一部であり、図３（ｂ）は、比較例としてのパターンである。
【００４３】
対角線の傾き１／２として２色（白黒）のパターンを描画するとき、単純には、図３（ｂ）の比較例のように、２色の境界（対角線）を、水平方向２ピクセルで垂直方向１ピクセルの階段状とすることが考えられる。しかしながら、この場合はマルチリンク伝送を行った際に、例えば赤信号の１チャンネルと赤信号の２チャンネルが誤って入れ替わった状態で接続されたとしても、表示される基準カラー信号のパターンとしては同じものとなってしまい、チャンネル接続が適切に行われているかの同定が不可能である。赤信号の３チャンネルと赤信号の４チャンネルが入れ替わった場合も同様に認識できない。１チャンネルと３チャンネルの入れ替わりは認識できるが、任意の（全ての）２つのチャンネルの入れ替わりに対応することができない。緑信号、青信号の場合も同様である。したがって、図３（ｂ）の比較例のパターンでは、マルチリンク伝送の際に、その各チャンネルの信号が正しく後段の機器に接続されているか視覚的に確認できない。
【００４４】
本発明は、２色（白黒）のパターンを、例えば、図３（ａ）のようにする。すなわち、２色の境界（対角線）を、水平方向に１ピクセル、２ピクセル、３ピクセル、２ピクセル・・・とずらして、階段状に作画する。ここで、４つの画素が隣接する太線の四角で囲った部分の３か所（Ａ，Ｂ，Ｃ）のエリアに注目する。正しい順番でチャンネルが接続されていると、これらの四角のエリアは、左上に１チャンネル、右上に２チャンネル、左下に３チャンネル、右下に４チャンネルの信号が表示される。
【００４５】
ここで、チャンネル間の接続誤りが生じた場合の例を、図３（ｃ）に示す。例えば、１チャンネルと２チャンネルが誤って接続された場合には、図３（ａ）の１チャンネルと２チャンネルの配置が反対となるから、図３（ｃ）のように表示され、特に、Ｂエリアの作画パターンが、１チャンネル（黒）と２チャンネル（白）の位置が入れ替わることにより、第１と第２の色の境界が変化し、図３（ｃ）のＢ’のように現れる。なお、図では白黒が入れ替わるように表わされているが、実際には、例えば、赤の１チャンネルと赤の２チャンネルが入れ替わる誤り等が発生するから、このとき、黒のピクセルが赤になり、白のピクセルがシアンに変わる等の色の変化となって現れる。よって、境界の形状又は色の変化により、チャンネル接続状態を容易に視認できる。
【００４６】
同様に、３チャンネルと４チャンネルが誤って接続された場合には、Ａエリアの作画パターンにおいて、３チャンネル（黒）と４チャンネル（白）の位置が入れ替わり、境界パターンが変化して容易に視認できる。また、１チャンネルと３チャンネルが誤って接続された場合、又は、２チャンネルと４チャンネルが誤って接続された場合には、Ｃエリアの作画パターンの第１の色と第２の色の位置又は色彩が変わり、境界パターンが変化して容易に視認できる。
【００４７】
したがって、このパターンで基準カラー信号パターンを作画することにより、目視のみでチャンネル間の同定を容易に行うことができる。
【００４８】
なお、この角領域パターン１１０は、１９２０×９６０ピクセルのサイズであり、この部分のみを取り出して、通常のハイビジョン（１９２０×１０８０ピクセル）の基準カラー信号パターンとしても利用できる。
【００４９】
図４に、角領域パターン１１０の別の実施例を示す。図４（ａ）は、本発明の基準カラー信号の左上の角領域パターンの別のパターン１１１’ を表しており、図３の角領域パターン１１１とは、対角線の傾きが異なっている。図４（ｂ）は、その境界の一部を拡大した図であり、図４（ｃ）は、また別の境界パターンを拡大した図である。
【００５０】
図４の左上角領域パターン１１１’は、例えば、水平１９２０、垂直１２８０ピクセルで構成され、右上から左下方向の対角線で、第１の色である１００％白（ＲＧＢそれぞれ１００％）と第２の色である０％黒（ＲＧＢそれぞれ０）に分割されたパターンである。第１の色と第２の色は、互いに異なる任意の色を選ぶことができる。図中の１，２，３，４は、サブピクセル分割方式のマルチリンク伝送を行ったときの各チャンネル番号を示すことは、図２と同様である。
【００５１】
図４（ａ）の角領域パターン１１１’は、水平１９２０、垂直１２８０ピクセルであるから、対角線の傾きは２／３となる。具体的には、例えば、図４（ｂ）のとおり、境界を左下から、水平方向１ピクセルで垂直方向１ピクセル、次は水平方向２ピクセルで垂直方向１ピクセル、の階段状とし、これを繰り返す。繰り返し単位の全体では、水平方向３ピクセルで垂直方向２ピクセルとなるから、傾きは２／３となっており、左下から右上に向う対角線で分離された２色（白黒）パターンの基準カラー信号が形成される。
【００５２】
図４（ｂ）の四角で囲った部分の３か所（Ａ，Ｂ，Ｃ）のエリアに注目する。正しい順番で接続されていると、これらの四角の部分は、左上に１チャンネル、右上に２チャンネル、左下に３チャンネル、右下に４チャンネルの信号が表示された構成となることは、図３と同様である。
【００５３】
ここで、例えば、１チャンネルと２チャンネルが誤って接続された場合には、特に、Ｂエリアの作画パターンが、１チャンネルと２チャンネルの位置が入れ替わり、第１と第２の色の境界の形状又は色が変化する。
【００５４】
同様に、３チャンネルと４チャンネルが誤って接続された場合には、Ａエリアの作画パターンにおいて、３チャンネルと４チャンネルの位置が入れ替わり、境界パターンが変化して容易に視認できる。また、１チャンネルと３チャンネルが誤って接続された場合、又は、２チャンネルと４チャンネルが誤って接続された場合には、Ｃエリアの作画パターンの第１の色と第２の色の位置又は色彩が変わり、境界パターンが変化して容易に視認できる。
【００５５】
したがって、このパターンで基準カラー信号パターンを作画することにより、目視のみでチャンネル間の接続の同定を容易に行うことができる。
【００５６】
次に、図４（ａ）の角領域パターン１１１’の別の境界パターンについて説明する。例えば、図４（ｃ）のとおり、境界を左下から、水平方向１ピクセルで垂直方向２ピクセル、次は水平方向３ピクセルで垂直方向１ピクセル、次は水平方向２ピクセルで垂直方向１ピクセル、の階段状とし、これを繰り返す。繰り返し単位の全体では、水平方向６ピクセルで垂直方向４ピクセルとなるから、傾きは２／３となっており、左下から右上に向う対角線で分離された別の２色（白黒）パターンが形成される。
【００５７】
図４（ｃ）の四角で囲った部分の２か所（Ｃ，Ｄ）のエリアに注目する。正しい順番で接続されていると、これらの四角の部分は、左上に１チャンネル、右上に２チャンネル、左下に３チャンネル、右下に４チャンネルの信号が表示された構成となることは、図４（ｂ）と同様である。
【００５８】
例えば、１チャンネルと２チャンネルが誤って接続された場合には、特に、Ｄエリアの作画パターンが、１チャンネルと２チャンネルの位置が入れ替わり、第１と第２の色の境界の形状又は色が変化する。同様に、３チャンネルと４チャンネルが誤って接続された場合も、Ｄエリアの作画パターンにおいて、３チャンネルと４チャンネルの位置が入れ替わり、境界パターンが変化して容易に視認できる。
【００５９】
また、１チャンネルと３チャンネルが誤って接続された場合、又は、２チャンネルと４チャンネルが誤って接続された場合には、Ｃエリアの作画パターンの第１の色と第２の色の位置又は色彩が変わり、境界パターンが変化して容易に視認できる。
【００６０】
したがって、このパターンで基準カラー信号パターンを作画することにより、目視のみでチャンネル間の接続の同定を容易に行うことができる。
【００６１】
ここで、視認性を高めるために、どのようなパターンを形成する必要があるか整理する。
【００６２】
図３（ａ）、図４（ｂ）の実施例において、Ａ，Ｂ，Ｃの各エリアは、次のように構成されている。
【００６３】
【表１】
2015231088.tif 000003
【００６４】
ここで、白と黒が入れ替わると境界の形状が変化するから、Ａエリアにより４チャンネルと他のチャンネルとの間の誤り接続が確認でき、Ｂエリアにより１チャンネルと他のチャンネルとの間の誤り接続が確認できる。また、Ｃエリアより２チャンネルと３チャンネルの相互の接続誤りが確認できるから、このＡ〜Ｃのエリアを境界の一部に有するパターンであれば、チャンネルの同定が可能となる。
【００６５】
また、図４（ｃ）の実施例において、Ｃ，Ｄのエリアは、次のように構成されている。
【００６６】
【表２】
2015231088.tif 000004
【００６７】
したがって、Ｃエリアにより１チャンネル及び２チャンネルのグループと、３チャンネル及び４チャンネルのグループ間の誤り接続が確認でき、Ｄエリアにより１チャンネル及び３チャンネルのグループと、２チャンネル及び４チャンネルのグループ間の誤り接続が確認できる。よって、このＣ及びＤエリアを境界の一部に有するパターンであれば、チャンネルの同定が可能となる。
【００６８】
さらに、本発明の基準カラー信号パターンは、角領域のパターン１１０が画面の４隅に配置されており、それぞれのパターンを異ならせることにより、領域分割を用いたマルチリンク伝送において、接続誤りが生じた場合であっても、容易に視認することができる。
【００６９】
図５ないし図７に基づいて、基準カラー信号の中心部領域の構造について説明する。図５は、図１の中心部領域パターン２００を拡大した図である。中心部領域パターン２００は、例えば、水平３８４０ピクセル、垂直２１６０ピクセルの領域からなる。
【００７０】
４Ｋモニターは３８４０×２１６０の解像度、８Ｋモニターは７６８０×４３２０の解像度を有している。一般的に４Ｋモニターは８Ｋモニターよりも普及しており、７６８０×４３２０ピクセルの信号のうち、中心部の３８４０×２１６０ピクセルの領域を表示することができる。すなわち、本発明の基準カラー信号パターンの内、中心部に配置された、中心部領域パターン２００を表示することができる。
【００７１】
本発明の基準カラー信号は、中心部にカラーバーを表示しており、４Ｋモニターの基準カラー信号としても利用できる。また、中心部にカラーバーを表示することで、中心部領域パターン２００は左右・上下が非対称のパターンとなるから、図１１の例で示した領域分割を用いたマルチリンク伝送の際にもチャンネル間の同定が視覚的に可能である。
【００７２】
中心部領域パターン２００の例を、図５に基づいて説明する。中心部領域パターン２００は、現状のハイビジョンの基準信号の形状から大きく逸脱することなく、シンプルに視覚的にとらえやすい映像パターンとなっている。
【００７３】
領域２０１から領域２０７は、白、黄、シアン、緑、マゼンタ、赤、青の縦長の長方形（白は５４６×１４４０ピクセル、他は、５４９×１４４０ピクセル）の色サンプルであり、信号レベルが７５％とする。この信号レベルは適宜調整することができる。また、領域２０８から領域２１４は、領域２０１〜２０７と同じ幅で垂直方向が１８０ピクセルの色サンプルであり、領域２０１〜２０７と同色で信号レベルが１００％である。その下部には、対角線で黒と３色を区分したチャート２１５と、白と黒の領域２１６〜２２１が、垂直５４０ピクセルで配置されている。なお、各領域のサイズ及び配置はこれらに限定されるものではない。
【００７４】
表３に、各領域２０１〜２２１の色サンプルにおける、赤信号レベル、緑信号レベル、青信号レベルの値を一例として示す。
【００７５】
【表３】
2015231088.tif 000005
【００７６】
信号レベルが７５％の色サンプル（領域２０１〜２０７）と、信号レベルが１００％の色サンプル（領域２０８〜２１４）を上下に並べることにより、視認性が高くなり、広色域表色系でのモニター表示テストに有効に使用できる。
【００７７】
図６は、スーパーハイビジョンの広色域表色系が表示できないモニターに接続した場合の画像である。広色域表色系のモニターに接続しなかった場合は、領域２０９〜２１４の色が鮮やかに表示されず、図６の領域２０８’〜２１４’のように色みが抜けた状態となる。したがって、中心部領域パターン２００により、モニターの表示機能を評価できる。
【００７８】
領域２１８〜２２０は黒レベルの差を出しており、領域２１６，２１７，２２１とともにモニターのブライトネス調整とコントラスト調整に使用する。
【００７９】
図７は、中心部領域パターン２００の領域２１５を拡大した図である。
【００８０】
チャート（領域）２１５の構造は、図２、図３の角領域パターンとほぼ同様であるが、水平方向１０８０ピクセル、垂直方向５４０ピクセルの長方形の領域を、右上から左下に向う対角線により大きく区分し、左上の領域を０％黒（ＲＧＢそれぞれ０％）とする。なお、左上の領域を１００％白（ＲＧＢそれぞれ１００％）等の他の色としても良く、また、対角線を左上から右下に向う線としても良い。右下の領域は、さらに縦方向に３つに区分し、ＲＧＢ３色のそれぞれの１００％の色パターンとする。なお、この信号レベルは、１００％に限られず、他の信号レベルとしても良い。
【００８１】
この対角線は傾きが１／２であるので、例えば、図２、図３で説明した２色のパターンのように、境界を左下から、水平方向１ピクセルで垂直方向１ピクセル、水平方向２ピクセルで垂直方向１ピクセル、水平方向３ピクセルで垂直方向１ピクセル、水平方向２ピクセルで垂直方向１ピクセル、の階段状とし、これを繰り返す境界パターンとする。すなわち、黒と赤の境界、黒と緑の境界、黒と青の境界の何れもが、１ピクセル、２ピクセル、３ピクセル、２ピクセル・・・とずらして、階段状の境界を作画する。この境界は、チャンネル番号が入れ替わった場合に、境界の形状又は色が変化するパターンであれば、どのような図形（例えば、図４（ｂ）、（ｃ）等のパターン）であっても良い。
【００８２】
このチャート（領域）２１５を用いることで、各色の接続状態を境界で確認でき、サブピクセル分割のマルチリンク伝送の際にも、色ごとのチャンネル（合計１２チャンネル）の同定が容易に目視で行うことができる。
【００８３】
図１に戻って、周辺領域１２０について説明する。
【００８４】
周辺領域１２０は、画面全体から、角領域パターン１１０と中心部領域パターン２００を除いた残りの領域１２０である。画面の周辺部を一様の色彩とし、例えば、５０％の信号（ＲＧＢそれぞれ５０％）とする。この周辺領域の色彩は、自由に選択することができる。
【００８５】
この周辺領域１２０には、当該基準カラー信号を発生している機器を示すＩＤコード１３０を表示することができ、ここではＩＤコードの例として「Sample Device NO.1」と表示している。なお、ＩＤコードの表示場所は、下部に限られることは無く、任意の領域に表示することができる。
【００８６】
（実施の形態２）
以下に、本発明の実施の形態２である基準カラー信号発生装置について説明をする。図８は、本発明の基準カラー信号発生装置とそれを用いた放送機器の概念図である。
【００８７】
放送機器（放送で使用される業務用機器）３００は、その内部に基準カラー信号発生装置３１０を備えており、独自に基準カラー信号を発生することができる。
【００８８】
ここで、基準カラー信号発生装置３１０は、図１ないし図７で説明された基準カラー信号１００を発生する。発生された基準カラー信号により、後段の機器又は後段のモニター３２０との間において、マルチリンクの接続テストや、モニターの輝度調整・色調整が視覚的に確認できる。なお、基準カラー信号発生装置３１０は、機器の識別のため基準カラー信号に機器３００を表すＩＤコードを付加することができる。
【００８９】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【符号の説明】
【００９０】
１００  基準カラー信号パターン
１１０（１１１〜１１４）  角領域パターン
１２０  周辺領域
１３０  ＩＤコード
２００  中央部領域パターン
３００  放送機器
３１０  基準カラー信号発生装置
３２０  後段の機器又はモニター
４００  ハイビジョン用基準カラー信号パターン
【図３】
2015231088.tif 000006
【図１０】
2015231088.tif 000007
【図１１】
2015231088.tif 000008
【図１】
2015231088.tif 000009
【図２】
2015231088.tif 000010
【図４】
2015231088.tif 000011
【図５】
2015231088.tif 000012
【図６】
2015231088.tif 000013
【図７】
2015231088.tif 000014
【図８】
2015231088.tif 000015
【図９】
2015231088.tif 000016